(57)【特許請求の範囲】
【請求項１】
鉛直方向の壁面に対して左右方向に取り付けられるアングル材と、
収納家具に備えられ、板厚方向を左右方向としつつ鉛直方向に延設される縦板と、
略凹字状の水平断面形状の中空部に前記縦板の後側の端部を抱え込んで固定する保持部材と、
を有し、
前記収納家具を床面から浮かせつつ前記壁面に対し係止する収納家具システムであって、
前記アングル材は、
前記壁面に沿って固定される平板部と、前記平板部に対し所定の鈍角θをなしつつ斜め上方に向けて連設される傾斜部と、を備えており、
前記縦板は、
前記傾斜部を貫入可能となるように斜め上方に向けて切り込んだ第１切り込み部を備えており、
前記保持部材は、
前記傾斜部を貫入可能となるように斜め上方に向けて切り込んだ第２切り込み部を備えており、
前記保持部材が前記第２切り込み部の位置を前記第１切り込み部の位置に重畳させつつ前記縦板を抱えこんだ状態で、それら第１切り込み部及び第２切り込み部に対し前記アングル材の傾斜部を貫入させることで、前記収納家具を前記壁面に支持させた
ことを特徴とする収納家具システム。
【請求項２】
請求項１記載の収納家具システムにおいて、
前記縦板は、
前記壁面に突き当てられるように対向する後側の板端面を備え、
前記第１切り込み部は、
前記板端面において当該板端面の面方向に対し前記鈍角θをなすように斜め上方に切り込まれて形成されている
ことを特徴とする収納家具システム。
【請求項３】
請求項２記載の収納家具システムにおいて、
前記保持部材は、
前記壁面に沿って配置され、前記縦板の前記板端面が固定される奥壁部と、
前記奥壁部の左端から直交しつつ前側に延びる左壁部と、
前記奥壁部の右端から直交しつつ前側に延びる右壁部と、
を備え、
前記第２切り込み部は、
前記奥壁部から前記左壁部及び前記右壁部にかけての、前記抱え込んだ前記縦板の前記第１切り込み部と重畳する部位において、斜め上方に切り込まれて形成されている
ことを特徴とする収納家具システム。
【請求項４】
請求項１乃至請求項３のいずれか１項記載の収納家具システムにおいて、
前記鈍角θは、１３４°以上１３７°以下である
ことを特徴とする収納家具システム。
【請求項５】
請求項３記載の収納家具システムにおいて、
前記保持部材は、
前記左壁部と前記右壁部とを連結するように設けられ、前記第２切り込み部を与える凹状壁部をさらに備える
ことを特徴とする家具収納システム。
【請求項６】
請求項５記載の収納家具システムにおいて、
前記保持部材は、
前記第２切り込み部の上縁部に、貫入された前記アングル材の前記傾斜部との摩擦を軽減するための突起部をさらに備える
ことを特徴とする収納家具システム。
【発明の詳細な説明】
【技術分野】
【０００１】
本発明は、収納家具システムに関する。
【背景技術】
【０００２】
従来、家具に直接金具等を設けて壁面に固定する壁掛け収納家具システムが知られている（例えば、特許文献１参照）。特許文献１の図２、及び段落［００２６］〜［００２８］等において、この従来技術の壁掛け収納家具システムでは、家具背面に設けた突起型アングル材１１を、壁面に固定された嵌め込型アングル材１２に係合するように引っ掛けて取り付ける方法について開示されている。
【先行技術文献】
【特許文献】
【０００３】
【特許文献１】特開２００５−３２３６３５号公報
【発明の概要】
【発明が解決しようとする課題】
【０００４】
上記従来技術の壁掛け収納家具システムは、意匠性に優れ、収納家具のレイアウト変更等も行いやすいものであるが、壁面から斜め上方に突出した平板部分に対し、収納家具側から斜め下方に突出させた平板部分を係合させる構造であるため、収納家具の自重伝達構造としての剛性が必ずしも十分でない場合があり、さらにこれを改善させることが求められていた。
【０００５】
本発明の目的は、高い剛性構造により堅固に収納家具の自重を支持することができ、外観上の美観性に優れた収納家具システムを提供することにある。
【課題を解決するための手段】
【０００６】
上記目的を達成するために、本願発明は、鉛直方向の壁面に対して左右方向に取り付けられるアングル材と、収納家具に備えられ、板厚方向を左右方向としつつ鉛直方向に延設される縦板と、略凹字状の水平断面形状の中空部に前記縦板の後側の端部を抱え込んで固定する保持部材とを有し、前記収納家具を床面から浮かせつつ前記壁面に対し係止する収納家具システムであって、前記アングル材は、前記壁面に沿って固定される平板部と、前記平板部に対し所定の鈍角θをなしつつ斜め上方に向けて連設される傾斜部と、を備えており、前記縦板は、前記傾斜部を貫入可能となるように斜め上方に向けて切り込んだ第１切り込み部を備えており、前記保持部材は、前記傾斜部を貫入可能となるように斜め上方に向けて切り込んだ第２切り込み部を備えており、前記保持部材が前記第２切り込み部の位置を前記第１切り込み部の位置に重畳させつつ前記縦板を抱えこんだ状態で、それら第１切り込み部及び第２切り込み部に対し前記アングル材の傾斜部を貫入させることで、前記収納家具を前記壁面に支持させたことを特徴とする収納家具システムであることを特徴としている。
【０００７】
本発明の収納家具システムによれば、収納家具の縦板自体に第１切り込み部を設けるだけでなく、縦板部をＵ字状に抱え込んで固定する保持部材にも第２切り込み部を設ける。保持部が縦板部を抱えこんで一体物において第１切り込み部と第２切り込み部の位置が揃っている。
【０００８】
これにより、それら第１及び第２切り込み部にアングル材の傾斜部を貫入させることで、収納家具の自重が、縦板部→第１切り込み部→アングル材の傾斜部という経路と、縦板部→保持部材→第２切り込み部→アングル材の傾斜部という経路と、の２つによってアングル材へと堅固に伝達され、最終的にアングル材の平板部から壁面に伝えられて壁面により支持される。特に、保持部材は、その水平断面形状が略凹字状であり、この凹字形状の外郭は、縦板からの収納家具の荷重が加わる方向に対して略直交する態様となるため、高い剛性を確保することができる。
【０００９】
以上の結果、壁面から斜め上方に突出した平板部分に対し、収納家具側から斜め下方に突出させた平板部分を係合させることで当該収納家具の自重を支持する構造に比べ、高い剛性構造により堅固に収納家具の自重を支持することができる。また、保持部材は略凹字状の形状であることから、見た目の外観上、単なる平板の突出形状に比べてインテリアとしての美観性が高い。
【発明の効果】
【００１０】
本発明の収納家具システムは、高い剛性構造により堅固に収納家具の自重を支持することができ、外観上の美観性にも優れる。
【図面の簡単な説明】
【００１１】
【図１】本実施形態の収納家具システムを用いた収納家具の全体的な外観を示す斜視図である。
【図２】図１の要部である２Ｌ、２Ｒの構造を抽出して示す斜視図である。
【図３】図２の収納家具システムを壁側から見た分解斜視図である。
【図４】図３の収納家具システムの組立後の状態を示す斜視図である。
【図５】本実施形態のアングル材と保持部材との構造を示す斜視図である。
【図６】本実施形態の保持部材の詳細構造を示す斜視図である。
【図７】図６の保持部材を裏側から見た構造を示す斜視図である。
【図８】収納家具システムを壁面に係止させる際の構造を説明する斜視図である。
【発明を実施するための形態】
【００１２】
以下、本発明の一実施形態を図面を参照して説明する。
【００１３】
図１に、本実施形態の収納家具システム４を用いた収納家具５の全体的な外観を示す。収納家具５は、５枚の縦仕切り板２により四区画に区切られている。両端の二つの区画はハンガー掛けスペースを含み、中央の二つの区画は小物を収納するボックスが配置されるスペース及び引き出しを含む。収納家具５は、アングル材１と、縦板２Ｒ及び縦板２Ｌと、図示されない保持部材３とを含む収納家具システム４により、壁面６に支持され、床面７から浮いて壁面６に係止されている。
【００１４】
アングル材１は、鉛直方向の壁面６に対して左右方向に延びるように取り付けられている。アングル材１の材質としては、係止する家具の荷重にもよるが、鉄、ステンレス鋼、アルミニウムなどの金属の他、樹皮製板、硬質プラスチックなどを適宜用いることができる。アングル材１の板厚は例えば３〜１０ｍｍの範囲にあり、アングル材１の左右方向の長さは例えば収納家具５全体の幅と略同じである。
【００１５】
縦板２Ｒ及び縦板２Ｌは、収納家具５に備えられ、板厚方向を左右方向としつつ鉛直方向に延設される。この図では、収納家具５に含まれる５枚の縦仕切り板２のうち、右端の２枚を縦板２Ｒ及び縦板２Ｌとしているが、他の隣り合う縦仕切り板２同士を縦板２Ｒ及び縦板２Ｌとしてもよい。
【００１６】
収納家具５は、衣類、小物等を適宜収納することができ、縦板２Ｒ及び縦板２Ｌのレイアウトを変更することでユーザが自由に収納スペースを設計でき、床面７から浮いているので床面７の清掃も行いやすい。
【００１７】
図１に示す上下方向は床面７に垂直に向かう下方向とその逆方向である上方向からなる鉛直方向である。前後方向は壁面６に向かう方向を後方向、その逆方向を前方向とし、上下方向に直交する。左右方向は上下方向及び前後方向に直交する方向である。同様の方角が図２〜図８にも適宜適用される。
【００１８】
図２に、図１の要部である縦板２Ｌ、２Ｒの構造を抽出して示す。収納家具システム４は、アングル材１と、縦板２Ｒ及び２Ｌと、保持部材３とを備える。縦板２Ｒ及び２Ｌは収納家具５の一部であり、これをアングル材１と保持部材３とにより壁面６に係止させることにより、収納家具システム４は、収納家具５を床面７から浮かせつつ壁面６に対し係止させる。図２の要部では、図１と同様、縦板２Ｌ、２Ｒが床面７から浮いて係止されている。
【００１９】
図３に図２に示した収納家具システム４を壁面６の側から見た場合の分解斜視図を示す。アングル材１は、壁面６に沿って固定される平板部８と、平板部８に対し所定の鈍角θをなしつつ斜め上方に向けて連設される傾斜部９とを備える。縦板２Ｌ、２Ｒは、傾斜部９を貫入可能となるように斜め上方に向けて切り込んだ第１切り込み部１０を備え、保持部材３は傾斜部９を貫入可能となるように斜め上方に向けて切り込んだ第２切り込み部１１を備える。
【００２０】
縦板２Ｌ、２Ｒは、壁面６に突き当てられるように対向する後側の板端面１２を備え、第１切り込み部１０は、板端面１２において当該板端面の面方向に対し鈍角θをなすように斜め上方に切り込まれて形成されている。
【００２１】
鈍角θは、１３４°以上１３７°以下の範囲にあることが好ましい。最も好ましくは、鈍角θは１３６°である。
【００２２】
図４は、図３に示した収納家具システム４の組立後の状態を示す。収納家具システム４において、保持部材３は、第２切り込み部１１の位置を図３の第１切り込み部１０の位置に重畳させつつ、縦板２Ｌ、２Ｒを抱えこんだ状態で、第１切り込み部１０及び第２切り込み部１１に対しアングル材１の傾斜部９を貫入させている。このような収納家具システム４により、図１や図２に示したように、収納家具５を壁面６に支持させ、収納家具５を床面７から浮かせつつ壁面６に対し係止させる。
【００２３】
図５にアングル材１と保持部材３との係止構造の詳細を示す。保持部材３は、第２切り込み部１１の上縁部１３に、貫入されたアングル材１の傾斜部９との摩擦を軽減するための突起部１４を備える。
【００２４】
図６に保持部材３の詳細構造を示す。保持部材３は、壁面６に沿って配置され、縦板２Ｌ、２Ｒの板端面１２が固定される奥壁部１５と、奥壁部１５の左端から直交しつつ前側に延びる左壁部１６と、奥壁部１５の右端から直交しつつ前側に延びる右壁部１７とを備える。
【００２５】
第２切り込み部１１は、奥壁部１５から左壁部１６及び右壁部１７にかけての、前記抱え込んだ縦板２Ｌ、２Ｒの第１切り込み部１０と重畳する部位において、斜め上方に切り込まれて形成されている。
【００２６】
図６の拡大断面図に示すように、保持部材３は左壁部１６と右壁部１７とを連結するように設けられ、第２切り込み部１１を与える凹状壁部１８を備える。
【００２７】
突起部１４は凹状壁部１８の内面において左壁部１６と右壁部１７との間にわたって設けられている。
【００２８】
図７に、図６の保持部材３を裏側から見たときの構造を示す。保持部材３を裏側から見た際に奥壁部１５と左壁部１６と右壁部１７とにより略凹字状の水平断面形状の中空部１９が形成されている。この中空部１９に縦板２Ｌ、２Ｒの後側の端部を抱え込んで固定するようになっている。
【００２９】
第２切り込み部１１を与える凹状壁部１８は左壁部１６と右壁部１７とを連結するように設けられている。凹状壁部１８の形状及び大きさは縦板２Ｌ、２Ｒの第１切り込み部１０と略一致するものであり、保持部材３の凹状壁部１８が第１切り込み部１０にちょうどはめこめるようになっている。
【００３０】
図８に収納家具システム４を壁面６に係止させる際の構造を示す。保持部材３は第２切り込み部１１の位置を第１切り込み部１０（図示なし）の位置に重畳させつつ縦板２Ｌを抱えこんだ状態で、第１切り込み部１０及び第２切り込み部１１に対しアングル材１の傾斜部９を貫入させることで、収納家具５を壁面６に支持させる。保持部材３はネジ２０により縦板２Ｌに取り付けられて固定されている。保持部材３により縦板２Ｌをアングル材１に係止させた後、保持部材３と縦板２Ｌとの位置を左右方向にスライドさせ、適宜位置調整を行って、収納家具５のレイアウトを変更することができる。アングル材１は、木ネジ２１により壁面６に水平に打ち付けられて固定される。アングル材１を壁面６に固定する方法はビス止などでもよい。
【００３１】
＜実施形態の効果＞
収納家具５の縦板２Ｌ、２Ｒ自体に第１切り込み部１０を設けるだけでなく、縦板２Ｌ、２ＲをＵ字状に抱え込んで固定する保持部材３にも第２切り込み部１１を設ける。保持部３が縦板２Ｌ、２Ｒを抱えこんで一体物において第１切り込み部１０と第２切り込み部１１の位置が揃っている。
【００３２】
これにより、それら第１切り込み部１０及び第２切り込み部１１にアングル材１の傾斜部９を貫入させることで、収納家具５の自重が、縦板２Ｌ、２Ｒ→第１切り込み部１０→アングル材１の傾斜部９という経路と、縦板２Ｌ、２Ｒ→保持部材３→第２切り込み部１１→アングル材１の傾斜部９という経路と、の２つによってアングル材１へと堅固に伝達され、最終的にアングル材１の平板部８から壁面６に伝えられて壁面６により支持される。特に、保持部材３は、その水平断面形状が略凹字状であり、この凹字形状の外郭は、縦板２Ｌ、２Ｒからの収納家具５の荷重が加わる方向に対して略直交する態様となるため、高い剛性を確保することができる。
【００３３】
以上の結果、壁面６から斜め上方に突出した平板部分に対し、収納家具５側から斜め下方に突出させた平板部分を係合させることで当該収納家具５の自重を支持する構造に比べ、高い剛性構造により堅固に収納家具５の自重を支持することができる。
【００３４】
また、保持部材３は略凹字状の形状であることから、見た目の外観上、単なる平板の突出形状に比べてインテリアとしての美観性が高い。
【００３５】
また、縦板２Ｌ、２Ｒの後側に位置する板端面１２から切り込んで第１切り込み部１０を形成することで、収納家具５の後端側から壁面６へと確実に自重を伝達し、壁面６において支持することができる。
【００３６】
さらに、保持部材３の奥壁部１５から左壁部１６及び右壁部１７に掛けて、第１切り込み部１０と重畳させつつ切り込んで第２切り込み部１１を形成することで、前述のように収納家具５の後端側から伝達される自重を併せて保持部材３側の経路でも確実に伝達し、壁面６において支持することができる。
【００３７】
またさらに、壁面６側からの角度を４３°以上４６°以下とすることで、アングル材１における過度な荷重負担を防止しつつ壁面６への堅固な家具自重伝達を実現し、壁面６とアングル材１とで均等な過重負担を実現することができる。
【００３８】
また、さらに、保持部材３の凹状壁部１８が左壁部１６と右壁部１７とを連結することにより、この凹状壁部１８が、保持部材３の左壁部１６・右壁部１７間における強度補強用のリブとして機能する。この結果、保持部材３自体の剛性を向上できるので、さらに確実な自重伝達構造を実現することができる。
【００３９】
さらには、突起部１４がアングル材１の傾斜部９と第２切り込み部１１との摩擦を軽減することにより、収納家具５の組み立て作業及び取り外し作業の際にアングル材１上において縦板２Ｌ、２Ｒを動かして位置調整等を行うときに、スムーズに調整を行うことができる。またその際、アングル材１と縦板２Ｌ、２Ｒとの摺動により縦板２Ｌ、２Ｒ側に傷が生じるのを防止できる効果もある。
【００４０】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００４１】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４２】
また、以上既に述べた以外にも、上記実施形態や各変形例による手法を適宜組み合わせて利用しても良い。
【００４３】
その他、一々例示はしないが、本発明は、その趣旨を逸脱しない範囲内において、種々の変更が加えられて実施されるものである。
【符号の説明】
【００４４】
１                アングル材
２                縦仕切り板
２Ｌ、２Ｒ        縦板
３                保持部材３
４                収納家具システム
５                収納家具
６                壁面
７                床面
８                平板部
θ                鈍角
９                傾斜部
１０              第１切り込み部
１１              第２切り込み部
１２              板端面
１３              上縁部
１４              突起部
１５              奥壁部
１６              左壁部
１７              右壁部
１８              凹状壁部
１９              中空部
２０              ネジ
２１              木ネジ
【要約】
【課題】高い剛性構造により堅固に収納家具の自重を支持することができる収納家具システムを提供する。
【解決手段】
壁面６に取り付けられるアングル材１と、収納家具５に備えられる縦板２Ｌ、２Ｒと、略凹字状の水平断面形状の中空部に縦板２Ｌ、２Ｒの後側の端部を抱え込んで固定する保持部材３とを有し、収納家具５を床面７から浮かせつつ壁面６に対し係止する収納家具システム４であって、アングル材１は、平板部８と傾斜部９とを備え、縦板２Ｌ、２Ｒは第１切り込み部１０を備え、保持部材３は第２切り込み部１１を備え、保持部材３が第２切り込み部１１の位置を第１切り込み部１０の位置に重畳させつつ縦板２Ｌ、２Ｒを抱えこんだ状態で、それら第１切り込み部１０及び第２切り込み部１１に対しアングル材１の傾斜部９を貫入させることで、収納家具５を壁面６に支持させる収納家具システム４。
【選択図】図３【図１】
0006925089.tif 000002
【図２】
0006925089.tif 000003
【図３】
0006925089.tif 000004
【図４】
0006925089.tif 000005
【図５】
0006925089.tif 000006
【図６】
0006925089.tif 000007
【図７】
0006925089.tif 000008
【図８】
0006925089.tif 000009